(57)【要約】  【課題】    ブロック部材とシャックルから構成される係止部を備えた南京錠を提供する。  【解決手段】  本発明の南京錠は、ブロック部材80と、シャックル87と、インジケータ83（図18）と、を含み、該ブロック部材80と該シャックル87とが係止部800を構成し、該インジケータ83（図18）が該ブロック部材80内に設置され、該ブロック部材80に設けたウィンドウ811を介して該インジケータ83（図18）の第一状態831と第二状態832（図21)とを表示すると共に、該シャックル87が該ブロック部材80を介して該係止部800を開くことができるようになった後のみ、該インジケータ83（図18）が第一状態831から第二状態832（図21）に切り換わって該ウィンドウ811を介して状態が表示され、且つ、該シャックル87そのものが該係止部800を開くことができるようになった後のみ該インジケータ83（図18）が第二状態832（図21）から第一状態831にリセットされて該ウィンドウ811を介して表示される。  【選択図】    図２０
2006022641.tif 000002
【特許請求の範囲】
【請求項１】
ブロック部材と、係止部を構成するためのシャックルとを含み、該シャックルは自由端を備え、該ブロック部材は該シャックルの自由端が嵌入される凹部を備え、該凹部が該ブロック部材の上部に設けた第一通路と、該ブロック部材の一端に設けた第二通路とを備え、該第一通路と該第二通路とが互いに連通していることを特徴とする南京錠。
【請求項２】
ブロック部材と、シャックルと、インジケータと、を含み、該シャックルと該ブロック部材が係止部を構成し、そのうち、該シャックルに該ブロック部材へと延伸されて該係止部を形成する自由端を設け、該ブロック部材にウィンドウ部を設けて、該インジケータが該ブロック部材内に移動可能に設置され、該ウィンドウ部を介して第一状態と第二状態とを表示し、該シャックルがブロック部材を介して該係止部を開くことができるようになった後のみ、該インジケータが第一状態から第二状態へ表示を切り換えて該ウィンドウ部を介してその状態を表示し、且つ、該シャックルそのものが該係止部を開くことができるようになった後のみ、該インジケータが第二状態から該第一状態へとリセットされて該ウィンドウ部を介してその状態を表示することを特徴とする南京錠。
【請求項３】
前記ブロック部材がさらに、該シャックルの自由端が嵌入される凹部を備え、該凹部が該ブロック部材の上部に設けた第一通路と、該ブロック部材の一端に設けた第二通路とを備え、該第一通路と該第二通路とが互いに連通していることを特徴とする請求項２に記載の南京錠。
【請求項４】
前記ブロック部材がさらに、該インジケータに連結されており、且つ、該シャックルの該自由端に対向するよう設けられた設定孔を備えたことを特徴とする請求項２または３に記載の南京錠。
【請求項５】
前記インジケータは、第一色により第一状態を表示し、第二色により第二状態を表示することを特徴とする請求項４に記載の南京錠。
【請求項６】
ハウジングと、ブロック部材と、シャックルと、ロック装置と、を含み、そのうち、該ブロック部材が駆動部及びボタンを含み、該駆動部が該ハウジング内に移動可能に設置され、該ボタンが該駆動部に接続されると共に該ハウジングの外側に露出されて設置され、該ボタンがさらに凹部を備え、該凹部が該ボタン上部に設けた第一通路と、該ボタンの一端に設けた第二通路とを備え、該第一通路と該第二通路とは互いに連通しており、該シャックルが基端と自由端とを備え、該基端が該ハウジング内に移動可能に設置され、該自由端が該基端から該ボタンの該凹部へと延伸され、該ロック装置が該ハウジング内に設置され、該ブロック部材の該駆動部の動きを制御することを特徴とする南京錠。
【請求項７】
前記ハウジングがさらに、該ブロック部材の該ボタンを完全に収容することができる収容空間を備えたことを特徴とする請求項６に記載の南京錠。
【請求項８】
前記ロック装置が連結部材及び番号ユニットを備え、該連結部材が該ブロック部材の該駆動部を該番号ユニットに接続し、該番号ユニットの開錠番号が組み合わされると、該連結部材が移動可能となることを特徴とする請求項７に記載の南京錠。
【請求項９】
ハウジングと、ブロック部材と、シャックルと、ロック装置と、を含み、そのうち、該ブロック部材が駆動部及びボタンを含み、該駆動部が該ハウジング内に移動可能に設置され、該ボタンが該駆動部に接続されると共に該ハウジングの外側に露出されて設置され、該シャックルが基端と自由端とを備え、該基端が該ハウジング内に移動可能に設置されると共に該自由端が該基端から該ブロック部材の該ボタンへと延伸されて係止部を構成し、該ロック装置が該ハウジング内に設置され、該ロック装置が番号ユニット及びキーユニットを含み、そのうち、該番号ユニットが該シャックルの該基端に接続され、該番号ユニットの開錠番号が組み合わされた後に該シャックルがその基端を介して移動可能となり、該キーユニットが該ブロック部材の該駆動部に接続され、開錠鍵により該キーユニットが回転された後に該ブロック部材の該ボタンが該ブロック部材の該駆動部を介して同期に移動可能となることを特徴とする南京錠。
【請求項１０】
前記ブロック部材の該ボタンがさらに、該シャックルの該自由端が嵌入される凹部を備えたことを特徴とする請求項９に記載の南京錠。
【請求項１１】
前記ボタンの該凹部が、該ボタン上部に設けた第一通路と、該ボタンの一端に設けた第二通路とを備え、該第一通路と該第二通路とは互いに連通していることを特徴とする請求項１０に記載の南京錠。
【請求項１２】
前記ハウジングがさらに、該ブロック部材の該ボタンを完全に収容することができる収容空間を備えたことを特徴とする請求項１１に記載の南京錠。
【請求項１３】
前記ブロック部材の該ボタンにウィンドウ部を設け、該インジケータが該ブロック部材の該ボタン内に移動可能に設置されて該ウィンドウ部を介して第一状態と第二状態とを表示し、そのうち、該キーユニットが該ブロック部材の該ボタンを駆動して該シャックルの該自由端が該係止部から解放される位置へと移動された後のみ該インジケータが該第一状態から該第二状態へと切り換わり、該ウィンドウ部を介してその状態を表示し、且つ、該番号ユニットの開錠番号が組み合わされた後のみ該インジケータが該第二状態から該第一状態へとリセットされ、該ウィンドウ部を介してその状態を表示することを特徴とする請求項９ないし１２のいずれかに記載の南京錠。
【請求項１４】
前記ブロック部材がさらに、該インジケータに連結されており、且つ、該シャックルの該自由端に対向するように設けられた設定孔を備えたことを特徴とする請求項１３に記載の南京錠。
【請求項１５】
前記ブロック部材の該ボタンがウィンドウ部を備え、該ブロック部材がさらに該ブロック部材の該ボタン内に移動可能に設置されたインジケータを含み、該インジケータが該ウィンドウ部を介して第一状態と第二状態とを表示し、そのうち、該キーユニットが該ブロック部材のボタンを駆動して該シャックルの該自由端が該係止部から離脱できる位置へと該ボタンを動かし、続いて該ブロック部材の該ボタンを駆動して該シャックルの該自由端を受け入れる元の位置へと動かした後のみ、該インジケータが該第一状態から該第二状態へと切り換わり、該ウィンドウ部を介してその状態を表示し、且つ、該番号ユニットの開錠番号が組み合わされた後のみ該インジケータが該第二状態から該第一状態へとリセットされ、該ウィンドウ部を介してその状態を表示することを特徴とする請求項９ないし１２のいずれかに記載の南京錠。
【請求項１６】
前記ブロック部材がさらに、該インジケータに連結されており、且つ、該シャックルの該自由端に対向するように設けられた設定孔を備えたことを特徴とする請求項１４に記載の南京錠。
【請求項１７】
前記キーユニットが、該ハウジング内に設置された本体と、該本体内に設置された回転部とを含み、そのうち、該回転部が第一端及び第二端を備え、該第一端に該開錠鍵が挿入される鍵穴を形成し、該第二端に該ブロック部材の該駆動部が接続される接続部を設け、該開錠鍵が該鍵穴に挿入されると該回転部が回転可能となることを特徴とする請求項９ないし１２のいずれかに記載の南京錠。
【請求項１８】
前記キーユニットが、該ハウジング内に設置された本体と、該本体内に設置された回転部とを含み、そのうち、該回転部が第一端及び第二端を備え、該第一端に該開錠鍵が挿入される鍵穴を形成し、該第二端に該ブロック部材の該駆動部が接続される接続部を設け、該開錠鍵が該鍵穴に挿入されると該回転部が回転可能となることを特徴とする請求項１４に記載の南京錠。
【請求項１９】
前記キーユニットが、該ハウジング内に設置された本体と、該本体内に設置された回転部とを含み、そのうち、該回転部が第一端及び第二端を備え、該第一端に該開錠鍵が挿入される鍵穴を形成し、該第二端に該ブロック部材の該駆動部が接続される接続部を設け、該開錠鍵が該鍵穴に挿入されると該回転部が回転可能となることを特徴とする請求項１６に記載の南京錠。
【請求項２０】
ハウジングと、ブロック部材と、シャックルと、ロック装置と、を含み、そのうち、該ブロック部材が駆動部及びボタンを含み、該駆動部が該ハウジング内に移動可能に設置され、該ボタンが該駆動部に接続されると共に該ハウジングの外側に露出されて設置され、該シャックルが基端と自由端とを備え、該基端が該ハウジング内に移動可能に設置されると共に該自由端が該基端から該ブロック部材の該ボタンへと延伸されて係止部を構成し、該ロック装置が該ハウジング内に設置され、該ロック装置が番号ユニット及びキーユニットを含み、そのうち、該番号ユニットが該シャックルの該基端に接続され、該番号ユニットの開錠番号が組み合わされた後に該シャックルが該シャックルの基端を介して移動可能となり、該キーユニットが該ブロック部材の該駆動部の動きを制御し、開錠鍵により該キーユニットが回転された後に該ブロック部材の該駆動部が移動可能となることを特徴とする南京錠。
【請求項２１】
前記ブロック部材の該ボタンがさらに、該シャックルの該自由端が嵌入される凹部を備えたことを特徴とする請求項２０に記載の南京錠。
【請求項２２】
前記ボタンの該凹部が、該ボタン上部に設けた第一通路と、該ボタンの一端に設けた第二通路とを備え、該第一通路と該第二通路とは互いに連通していることを特徴とする請求項２１に記載の南京錠。
【請求項２３】
前記キーユニットが、該ハウジング内に設置された本体と、該本体内に設置された回転部とを含み、そのうち、該回転部が第一端及び第二端を備え、該第一端に該開錠鍵が挿入される鍵穴を形成し、該第二端に該ブロック部材の該駆動部の動きを制御する接続部を設け、該開錠鍵が該鍵穴に挿入されると該回転部が回転可能となることを特徴とする請求項２０から２２のいずれかに記載の南京錠。
【請求項２４】
ハウジングと、ブロック部材と、シャックルと、ロック装置と、を含み、そのうち、該ブロック部材が駆動部及びボタンを含み、該駆動部が該ハウジング内に移動可能に設置され、該ボタンが該駆動部に接続されると共に該ハウジングの外側に露出されて設置され、該シャックルが基端と自由端とを備え、該基端が該ハウジング内に移動可能に設置されると共に該自由端が該基端から該ブロック部材の該ボタンへと延伸されて係止部を構成し、該ロック装置が該ハウジング内に設置され、該ロック装置が番号ユニット及びキーユニットを含み、そのうち、該番号ユニットが該ブロック部材の該駆動部に接続され、該番号ユニットの開錠番号が組み合わされた後に該ブロック部材の該ボタンが該ブロック部材の該駆動部を介して移動可能となり、該キーユニットが該シャックルの該基端の動きを制御し、開錠鍵により該キーユニットが回転された後に該シャックルの該基端が移動可能となることを特徴とする南京錠。
【請求項２５】
前記ブロック部材の該ボタンがさらに、該シャックルの該自由端が嵌入される凹部を備えたことを特徴とする請求項２４に記載の南京錠。
【請求項２６】
前記キーユニットが、該ハウジング内に設置された本体と、該本体内に設置された回転部とを含み、そのうち、該回転部が第一端及び第二端を備え、該第一端に該開錠鍵が挿入される鍵穴を形成し、該第二端に該シャックルの該基端の動きを制御する接続部を設け、該開錠鍵が該鍵穴に挿入されると該回転部が回転可能となることを特徴とする請求項２４または２５に記載の南京錠。
【発明の詳細な説明】
【技術分野】
【０００１】
本発明は南京錠に関し、詳細には、係止部を構成するためのブロック部材とシャックルを備えた南京錠に関する。          
【背景技術】
【０００２】
米国特許第１，５９７，５６０号、米国特許第４，７５１，８３０号及び米国特許第６，５３９，７６１号には、係止部を構成するシャックルを備えた従来の南京錠がそれぞれ示されている。このような従来の南京錠の係止部は、シャックルのみで開くことができる。
【０００３】
米国特許第６，８７７，３４５号に示されている別の従来の南京錠は、シャックルにより係止部が構成される。特に、この従来の南京錠は、ハウジングとインジケータを備えている。このハウジングは、ウィンドウ部を備え、このハウジング内に前記インジケータが設置される。インジケータは、ウィンドウ部を介して第一状態を表示し、南京錠が鍵によって開かれると、インジケータが切り換わって第二状態を表示する。さらに、このインジケータは、南京錠が組み合わせ番号により開かれると、第二状態から第一状態にリセットされる。
【０００４】
米国特許出願第２００２／００８８２５６A１号には、さらに別の従来の南京錠が示されており、この従来の南京錠は、シャックルとシャックルスリーブにより係止部が構成される。そして、シャックルまたはシャックルスリーブのうちの一方が他方から離れたときのみ、シャックルを動かすことができる。しかしながら、このような従来の南京錠は、シャックルスリーブを組み込むための大きなハウジングが必要となる。さらに、この従来の南京錠は、南京錠が開かれたかどうかを表示する表示機能を備えていない。
【特許文献１】米国特許第１５９７５６０号
【特許文献２】米国特許第４７５１８３０号
【特許文献３】米国特許第６５３９７６１号
【特許文献４】米国特許第６８７７３４５号
【特許文献５】米国特許出願第２００２／００８８２５６A１号
【発明の開示】
【発明が解決しようとする課題】
【０００５】
本発明の主な目的は、係止部を構成するためのブロック部材とシャックルを備えた南京錠を提供することにある。
【０００６】
本発明の別の目的は、インジケータ、ブロック部材及びシャックルを備え、ブロック部材とシャックルが係止部を構成し、このブロック部材内に設置されたインジケータによる表示機能を備えた南京錠を提供することにある。
【課題を解決するための手段】
【０００７】
特に、本発明の実施形態の１つにおいては、この南京錠は係止部を構成するブロック部材とシャックルを備え、このシャックルに自由端を設け、ブロック部材にシャックルの自由端と係合される凹部を設ける。さらに、この凹部はブロック部材の上部に設けた第一通路と、ブロック部材の一端に設けた第二通路とを備え、この第一通路と第二通路とは互いに連通している。
【０００８】
本発明の別の実施形態においては、南京錠にさらにインジケータを設け、且つ、ブロック部材にウィンドウ部を設ける。このインジケータはブロック部材内に移動可能に設置され、第一状態と第二状態とを該ウィンドウ部を介して表示する。さらに、このインジケータは、係止部が開かれるまでは通常の第一状態を表示する。即ち、ブロック部材を介してシャックルが移動して係止部を開くことができるようになった後のみ、このインジケータの表示が第一状態から第二状態に切り換わり、ウィンドウ部を介して表示される。また、シャックルそのものが係止部を開くことができるようになった後のみ、このインジケータの表示が第二状態から第一状態にリセットされ、ウィンドウ部を介して表示される。
【０００９】
本発明のさらに別の実施形態の南京錠においては、ハウジングと、このハウジングに設置され、ブロック部材の動きを制御するロック装置とを含む。このブロック部材がさらに駆動部とボタンを含み、このボタンは駆動部に接続されると共にハウジングの外に露出される。このボタンは凹部を備え、この凹部はボタン上部に形成された第一通路と、ボタンの一端に形成された第二通路とを備え、この第一通路と第二通路とは互いに連通している。
【００１０】
本発明のさらに別の実施形態においては、ロック装置は番号ユニット及びキーユニットを含む。この番号ユニットはシャックルの基端に接続され、この番号ユニットの開錠番号が組み合わされた後にシャックルの基端を介して該シャックルを動かすことができる。キーユニットはブロック部材の駆動部に接続され、キーユニットが開錠鍵によって回転されると、ブロック部材の駆動部を介して同期にブロック部材のボタンを動かすことができる。インジケータは係止部が開かれるまでの通常は第一状態を表示し、キーユニットがシャックルの自由端が係止部から解放される位置へとブロック部材のボタンを動かした後のみインジケータの表示が第一状態から第二状態に変わり、ウィンドウ部を介して表示される。番号ユニットの開錠番号が組み合わされた後のみインジケータの表示が第二状態から第一状態にリセットされてウィンドウ部を介して表示される。
【発明の効果】
【００１１】
したがって、本発明によれば、第一通路及び第二通路を備えたボタンを用い、このボタンを回転又は揺動あるいは移動させることによって、シャックルをこのボタンから解放可能としている。このため、南京錠のハウジングを小さくすることができる。さらに、本発明の南京錠におけるインジケータはボタンに設置されており、このボタンに設けたウィンドウ部を介してインジケータを表示することにより、南京錠が開かれると、その表示機能によって使用者にそのことをはっきりと示すことができる。
【発明を実施するための最良の形態】
【００１２】
以下、本発明についてより理解を深めるため、図面に基づき詳細に説明する。
【００１３】
（第１実施形態）
本発明の第１実施形態による南京錠１を図１〜図４に示す。図１に示すように、この南京錠１は、ブロック部材４とシャックル２を備えており、これらブロック部材４とシャックル２が係止部２０を構成している。シャックル２は自由端２２を備えており、また、ブロック部材４はシャックル２の自由端２２が係合される凹部４３を有する。図１は、シャックル２がブロック部材４の凹部４３により固定されている状態を示している。
【００１４】
図２に示すように、ブロック部材４の凹部４３は、ブロック部材４の上部に設けた第一通路４３１と、ブロック部材４の一端に設けた第二通路４３２とを備えており、この第一通路４３１と第二通路４３２とは互いに連通している。そして図２に示すように、ブロック部材４が所定位置に回動されると、シャックル２の自由端２２は、第二通路４３２を介して凹部４３から解放される。
【００１５】
さらに図３に示すように、南京錠はハウジング１０に設置されたロック装置を含んでおり、このロック装置は、ブロック部材４の動きを制御するための連結部材３及び番号ユニット３０を備えている。ブロック部材４はさらに駆動部４１及びボタン４０を含んでおり、駆動部４１はハウジング１０内に回動可能に設けられ、ボタン４０は駆動部４１に接続されると共にハウジング１０の外部に露出されている。また、番号ユニット３０はシャフト３０１を備えており、番号ユニット３０が回転されて開錠番号が組み合わされた後に、シャフト３０１を動かすことが可能になる。さらに、その一端がシャフト３０１まで延伸され、駆動部４１が挿入されることによってブロック部材４の駆動部４１と番号ユニット３０とを連結するための連結部材３が設置されている。
【００１６】
連結部材３はさらに、駆動部４１の突起部４２１に対応する曲線部３１を備え、番号ユニット３０の開錠番号が組み合わされた後にボタン４０を回転させることによって、曲線部３１と突起部４２１を介して連結部材３が下方へ移動し、これに伴いシャフト３０１が下方へ移動する。これによりシャックル２の自由端２２がブロック部材４から解放される。さらにハウジング１０は、ブロック部材４のボタン４０を完全に収容することのできる収容空間１０１を備えている。この収容空間１０１は、ボタン４０と同じ高さとするのが望ましい。このような構成の当該第１実施形態においては、番号ユニット３０の開錠番号が組み合わされた後、シャックル２を回転させてブロック部材４、即ちボタン４０からシャックル２を離脱させることにより、係止部２０を開くことができる。
【００１７】
（第２実施形態）
本発明の第２実施形態による南京錠を図５〜図８に示す。この南京錠１ａは、第１実施形態の南京錠１に似ているが、ロック装置の構成が異なる。即ち、この第２実施形態における南京錠１ａのロック装置は、番号ユニット３０ａ及びキーユニット５を含んでいる。そしてシャックル２ａは、基端２１ａとこの基端２１ａからブロック部材４ａのボタン４０ａに延伸された自由端２２ａとを備えており、ロック装置の制御を通じて当該シャックル２ａは回転や上下方向移動などの動作を行うことが可能である。番号ユニット３０ａは、シャックル２ａの基端２１ａに接続されており、番号ユニット３０ａの開錠番号が組み合わされた後に、図７に示すようにシャックル２ａをボタン４０ａの凹部４３ａから上方向に離脱させ、且つ、回転させることによってブロック部材４ａのボタン４０ａからシャックル２ａを離脱させることができる。
【００１８】
キーユニット５は、ブロック部材４ａの駆動部４１ａに接続されている。このキーユニット５は、ハウジング１０内に設置された本体５０と、この本体５０に設置された回転部５１とを含む。回転部５１は、開錠鍵６を挿入するための鍵穴５１０が形成された第一端と、駆動部４１ａが係合される接続部５１１を設けた第二端とを備えている。そして図８に示すように、この回転部５１は、開錠鍵６が鍵穴５１０に挿入されると回転可能となり、そして開錠鍵６が回転されると、駆動部４１ａを介してボタン４０ａが回転部５１と同期に回動する。したがって、シャックル２ａが回転されて、ボタン４０ａの凹部４３ａからシャックル２ａを離脱させることができる。
【００１９】
（第３実施形態）
本発明の第３実施形態による南京錠を図９〜図１１に示す。この実施形態の南京錠１ｂは、第２実施形態の南京錠１ａに似ているが、ブロック部材４ｂの構成が異なる。即ち、この南京錠１ｂのブロック部材４ｂは、上述のものと同様に駆動部４１ｂと、シャックル２ｂの自由端２２ｂが係合される凹部４３ｂとを備えたボタン４０ｂを備えている。そして図９及び図１１に示すように、ブロック部材４ｂは、駆動部４１ｂの動きがキーユニット５ａによって制御されることにより、外側に向かって揺動する。さらに、回転部５１ａには、駆動部４１ｂの動きを制御するための接続部５１１ａが設けられている。この接続部５１１ａは、半円形とするのが望ましい。そして、開錠鍵６ａが鍵穴５１０ａに挿入されると、この接続部５１１ａが開錠鍵６ａの回転動作に伴って回転して駆動部４１ｂから離れ、駆動部４１ｂが移動可能となる。したがって、ブロック部材４ｂのボタン４０ｂが移動して、シャックル２ｂの自由端２２ｂをボタン４０ｂの凹部４３ｂから離脱させることができる。
【００２０】
（第４実施形態）
本発明の第４実施形態による南京錠７を図１２〜図１４に示す。この南京錠７は、上述の実施形態に似ており、ブロック部材７０、シャックル７１、番号ユニット７２及び、キーユニット７３を備えている。ブロック部材７０は、シャックル７１の自由端７１０が係合される凹部７０１、駆動部７０２及びボタン７０３を含む。上述の実施形態と異なるのは、番号ユニット７２が駆動部７０２に接続されており、番号ユニット７２の開錠番号が組み合わされた後に、ボタン７０３が駆動部７０２を介して移動可能となる点である。さらに、シャックル７１の基端７１１の動きを制御するためのキーユニット７３が設けられており、開錠鍵によりキーユニット７３が回転されると、基端７１１が移動可能となる。
【００２１】
図１３及び図１４に示すように、基端７１１は、回転部７３１に設けた溝形の接続部７３２により制御される。即ち、番号ユニット７２の開錠番号が組み合わされた後に、ボタン７０３が下方向に移動可能となり、これによりシャックルの自由端７１０をボタン７０３の凹部７０１から離脱させることができる。または、キーユニット７３に開錠鍵が挿入されると、回転部７３１の溝形の接続部７３２が開錠鍵の回転動作に伴って回転されて基端７１１を離れ、シャックル７１が上方向に移動可能になる。したがって、シャックル７１の自由端７１０をボタン７０３から離脱させることができる。
【００２２】
（第５実施形態）
本発明の第５実施形態による南京錠８を図１５〜図２２に示す。この南京錠８は、上述の第２実施形態と同様のブロック部材８０、シャックル８７及びハウジング８５を備えている。このブロック部材８０は、ハウジング８５内に移動可能に設置された駆動部８２と、この駆動部８２に接続されると共にハウジング８５の外に露出されたボタン８１を含む。シャックル８７は、ハウジング８５内に移動可能に設置された基端８７０と、係止部８００を構成するために基端８７０からブロック部材８０のボタン８１へ延伸された自由端８７１を備えている。さらに、この南京錠８は、ハウジング８５内に設置されたロック装置を含む。このロック装置は、番号ユニット８６及びキーユニット８４を含んでいる。キーユニット８４は、ハウジング８５内に設置された本体８４０と、この本体８４０内に設置された回転部８４１とを含む。回転部８４１は、鍵穴８４３が形成された第一端と、駆動部８２が係合される接続部８４２を設けた第二端とを備えている。さらにこの回転部８４１は、鍵穴８４３に開錠鍵が挿入されると回転可能になる。
【００２３】
さらに、ブロック部材８０のボタン８１に、シャックル８７の自由端８７１が係合される凹部８１０を設ける。この凹部８１０は、ボタン８１の上部に設けた第一通路８１２と、ボタン８１の一端に設けた第二通路８１４を備えており、この第一通路８１２と第二通路８１４とは相互に連通している。さらには、図１９に示すように、ハウジングはブロック部材８０のボタン８１を完全に収容することのできる収容空間８５０を備えている。この収容空間８５０は、ボタン８１と同じ高さとするのが望ましい。
【００２４】
上述の第２実施形態と異なるのは、この南京錠８はさらに、ブロック部材８０のボタン８１内に移動可能に設置されたインジケータ８３を備えている点である。ブロック部材８０のボタン８１はさらにウィンドウ部８１１を備えており、図１６から図２１に示すように、第一色８３１によって表現される第一状態と、第二色８３２によって表現される第二状態とを表示することができる。さらに、このインジケータ８３は、係止部８００が開かれるまでは通常の第一状態／第一色８３１を表示する。言い換えると、このインジケータ８３は、シャックル８７がブロック部材８０を介して係止部８００を開くことができるようになった後のみ、その表示が第一状態／第一色８３１から第二状態／第二色８３２に切り換わり、ウィンドウ部８１１を介してその状態がされる。さらに、このインジケータ８３は、シャックル８７そのものが係止部８００を開くことができるようになった後のみ、その表示が第二状態／第二色８３２から第一状態／第一色８３１にリセットされ、ウィンドウ部８１１を介して状態が表示される。
【００２５】
図１８に示すように、ブロック部材８０はさらにインジケータ８３が連結される設定孔８１３を備えており、この設定孔８１３はシャックル８７の自由端８７１に対向するように形成されている。設定孔８１３が自由端８７１に対向して形成されているため、番号ユニット８６の開錠番号が組み合わされると、シャックル８７の自由端８７１によってインジケータ８３が第二状態から第一状態にリセットされる。また、このインジケータ８３は、設定孔８１３に挿入することのできるその他の小型工具によってもリセットすることが可能である。インジケータ８３の第一状態／第一色８３１は緑色またはマークで表現することができ、またインジケータ８３の第二状態／第二色８３２は赤色または別のマークで表現することができる。
【００２６】
さらに、ブロック部材８０にインジケータ８３が嵌入される開孔部８１５を設け、インジケータ８３に設定孔８１３内に嵌入されるシャフトボルト８３４と、ガイド部８３３を設ける。そしてハウジング８５にはガイド部８３３に対面する傾斜部８５１を設ける。キーユニット８４が駆動部８２を介してブロック部材８０のボタン８１を所定位置へ動かすと、これによりシャックル８７の自由端８７１が係止部８００から解放され、ガイド部８３３及び傾斜部８５１によってインジケータ８３が上方向へ移動され、ウィンドウ部８１１が第二状態／第二色８３２を表示する。さらに、番号ユニット８６の開錠番号が組み合わされた後、シャックル８７の基端８７０を、自由端８７１が係止部から解放される位置へ、及び（または）、自由端８７１を設定孔８１３に挿入し、インジケータ８３のシャフトボルト８３４を押して、インジケータ８３を第二状態／第二色８３２から第一状態８３１に戻すことができる元の位置へ、と移動することができる。あるいは、番号ユニット８６の開錠番号が組み合わされた後、設定孔８１３に届く小型工具によってインジケータ８３をリセットすることもできる。
【００２７】
（第６実施形態）
本発明の第６実施形態による南京錠８ａを図２３〜図２７に示す。この第６実施形態による南京錠８ａは、第５実施形態と似ているが、インジケータ８３ａ及びハウジング８５ａの構造が異なる。即ち、図２４に示すように、インジケータ８３ａは、ブロック部材８０ａの開孔部８１５ａを介してボタン８１ａの第一スロット８１６に設置されるシャフトボルト８３４ａと、ガイド部８３３ａとを備えている。第一スロット８１６は、開孔８１５ａと互いに連通している。マーク８３２ａで表現されるインジケータ８３ａの第二状態は、その第二状態／マーク８３２ａの周囲に沿ってテーパ面８３５が形成される。またハウジング８５ａは、ガイド部８３３ａが嵌入される第二スロット８５１ａを備えている。
【００２８】
図２５は、シャフトボルト８３４ａが第一スロット８１６内に挿入され、ガイド部８３３ａがハウジング８５ａの第二スロット８５１ａ内に挿入され、そして第二スロット８５１ａの一端側にガイド部８３３ａが寄せられた状態を示す。図２６は、ボタン８１ａが動かされて所定位置へと回転し、シャックル８７ａの自由端８７１ａがボタン８１ａから解放され、ウィンドウ部８１１ａを介して第二状態／マーク８３２ａが表示された状態を示す。このとき、第二状態／マーク８３２ａは、テーパ面８３５によってウィンドウ部８１１ａ内に保持される。図２７は、ボタン８１ａが元の位置まで回転され、シャックル８７ａの自由端８７１ａを受け入れる状態を示す。この場合、テーパ面８３５がウィンドウ部８１１ａ内に保持されるため、インジケータ８３もボタン８１ａの動きに従って動かされることにより南京錠８ａが開かれたことを示す。また番号ユニット８６ａの開錠番号が組み合わされた後に、自由端８７１ａとシャフトボルト８３４ａを動かすことによって、インジケータ８３ａは第二状態から第一状態へとリセットされる。
【００２９】
（第７実施形態）
本発明の第７実施形態を図２８〜図３９に示す。この第７実施形態の南京錠８ｂは、第４実施形態及び第６実施形態の南京錠８、８ａに似ており、ブロック部材８０ｂ、シャックル８７ｂ、ハウジング８５ｂ、番号ユニット８６ｂ、及びキーユニット８４ｂを含む。そして、図２８〜から図３０に示すように、ブロック部材８０ｂは凹部８１０ｂとウィンドウ部８１１ｂを備え、第一状態と第二状態とを表示するためのインジケータ８３ｂを含む。この第７実施形態においては、第二状態が第二色８３２ｂで表現される。さらに、シャックル８７ｂとブロック部材８０ｂが係止部８００ｂを構成し、番号ユニット８６ｂの開錠番号が組み合わされた後に、シャックル８７ｂの自由端８７１ｂを動かしてブロック部材８０ｂから離脱させると、この係止部８００ｂを開くことができる。あるいは、係止部８００ｂは、ブロック部材８０ｂがキーユニット８４ｂによって駆動された後、凹部８１０ｂを介してシャックル８７ｂの自由端８７１ｂを動かして、ブロック部材８０ｂから離脱させることによっても開くことができる。
【００３０】
図３１から図３３に示すように、ブロック部材８０ｂは、駆動部８２ｂ、ボタン８１ｂ、及びインジケータ８３ｂを含む。上述の実施形態と異なるのは、このボタン８１ｂは上部８８と下部８９とから構成される点である。凹部８１０ｂ及び設定孔８１３ｂは上部８８上に設けられ、またウィンドウ部８１１ｂは下部８９に設けられている。さらに、インジケータ８３ｂは、ボタン８１ｂ内において上部８８と下部８９に覆われて移動可能に設置されている。上部８８にはさらに、開孔部８１７、突出部８１８、及びくさび８１９が設けられている。また下部８９にはさらに、突出部８１８と係合される溝部８３６、開孔部８１７に挿入される棒体８３７、及び開口部８３８が、設けられている。インジケータ８３ｂは、設定孔８１３ｂに挿入されるシャフトボルト８３４ｂを備えており、さらに、底部にはガイド部８３３ｂ、側部にはくさび８１９と係合される溝部８３６をそれぞれ備えている。この溝部８３６はさらに一端に垂直通路８３７を備えている。またハウジング８５ｂは傾斜部８５１ｂを備えており、この傾斜部８５１ｂに開口部８３８を介してガイド部８３３ｂが接続される。
【００３１】
図３４に示すように、南京錠８ｂはシャックル８７ｂとブロック部材８０ｂにより係止部が構成されており、インジケータ８３ｂがボタン８１ｂ内に設置され、ウィンドウ部８１１ｂを介して第一状態を表示する。第一状態においては、インジケータ８３ｂのガイド部８３３ｂが傾斜部８５１ｂに対して接続される。図３５及び図３６に示すように、駆動部８２ｂがキーユニット８４ｂにより駆動され、ボタン８１ｂが同期に回転されると、ボタン８１ｂが７５度の角度に回転されるまで溝部８３６内でくさび８１９が継続的に動き、くさび８１９は垂直通路８３７に対応する位置に移動する。さらにボタン８１ｂを回転させ続けると、くさび８１９がインジケータ８３ｂを回転させ、その結果、ガイド部８３３ｂがこれに対応して所定位置まで動き、くさび８１９が垂直通路８３７と一部係合される。
【００３２】
図３７及び図３８に示すように、ボタン８１ｂがキーユニット８４ｂによって動かされ、シャックル８７ｂの自由端８７１ｂを受け入れるための元の位置へと戻されると、インジケータ８３ｂがくさび８１９によって動かされ、ガイド部８３３ｂ及び傾斜部８５１ｂを介してさらに上方位置へと移動されるため、インジケータ８３ｂは南京錠が開かれたことを表す第二状態を表示する。つまり、インジケータ８３ｂは、シャックル８７ｂの自由端８７１ｂが係止部８００ｂから解放される位置へ、キーユニット８４ｂでボタン８１ｂを動かし、その後にボタン８１ｂが自由端８７１ｂを受け入れる元の位置へと戻された後のみ、第一状態から第二状態へと表示が切り換わり、それをウィンドウ部８１１ｂを介して表示する。さらには、上述の実施形態例と同様に、インジケータ８３ｂは番号ユニット８６ｂの開錠番号が組み合わされた後のみ、第二状態から第一状態へとリセットされ、それをウィンドウ部８１１ｂを介して表示することができる。
【００３３】
（第８、第９実施形態）
上述の実施形態に基づき、図４０に示すように、本発明の第８実施形態による南京錠１ｃは、シャックル２ｃ、ブロック部材４ｃ、及びインジケータ６ｃを備え、シャックル２ｃとブロック部材４ｃが係止部を構成している。そして、シャックル２ｃの自由端２ｃは、ブロック部材４ｃから解放するか、ブロック部材４ｃを回転させてシャックルの自由端２ｃを離脱させると、ブロック部材４ｃから移動させることができる。インジケータ６ｃは、シャックル２ｃが動かされた後、状態を表示することができる。さらに、図４１に本発明の第９実施形態を示す。上述の実施形態と同様に、ブロック部材４ｃは、ハウジング１０ｄ内部を下方向に移動させることができる。
【００３４】
（第１０〜第１７実施形態）
本発明のさらに別の実施形態として第１０〜第１７実施形態を図４２〜図４９にそれぞれ示す。これらの南京錠２ｅは、上述の実施形態と同様のブロック部材２２ｅ、シャックル２０ｅ及びインジケータ６ｅをそれぞれ備えて構成されている。
【図面の簡単な説明】
【００３５】
【図１】本発明の第１実施形態による南京錠の施錠状態を示す立体斜視図である。
【図２】本発明の第１実施形態による南京錠の開錠状態を示す立体斜視図である。
【図３】本発明の第１実施形態による南京錠の立体分解図である。
【図４】本発明の第１実施形態による南京錠の開錠状態を示す断面図である。
【図５】本発明の第２実施形態による南京錠の立体斜視図である。
【図６】本発明の第２実施形態による南京錠の施錠状態を示す断面図である。
【図７】本発明の第２実施形態による南京錠が番号ユニットにより開錠された状態を示す断面図である。
【図８】本発明の第２実施形態による南京錠がキーユニットにより開錠された状態を示す断面図である。
【図９】本発明の第３実施形態による南京錠の立体斜視図である。
【図１０】本発明の第３実施形態による南京錠の施錠状態を示す断面図である。
【図１１】本発明の第３実施形態による南京錠がキーユニットにより開錠された状態を示す断面図である。
【図１２】本発明の第４実施形態による南京錠の立体斜視図である。
【図１３】本発明の第４実施形態による南京錠の施錠状態を示す断面図である。
【図１４】本発明の第４実施形態による南京錠が番号ユニットにより開錠された状態を示す断面図である。
【図１５】本発明の第５実施形態による南京錠の立体斜視図である。
【図１６】本発明の第５実施形態によるブロック部材、インジケータ、及びキーユニットの上面を示す立体分解図である。
【図１７】本発明の第５実施形態によるブロック部材、インジケータ、及びキーユニットの底面を示す立体分解図である。
【図１８】本発明の第５実施形態によるブロック部材、インジケータ、及びキーユニットを別の角度から見た立体分解図である。
【図１９】本発明の第５実施形態によるハウジングを示す立体斜視図である。
【図２０】本発明の第５実施形態による南京錠の第一状態を示す立体斜視図である。
【図２１】本発明の第５実施形態による南京錠の第二状態を示す立体斜視図である。
【図２２】本発明の第５実施形態による南京錠のリセットを示す部分断面図である。
【図２３】本発明の第６実施形態による南京錠の施錠状態を示す立体斜視図である。
【図２４】本発明の第６実施形態によるブロック部材、インジケータ、及びハウジングを示す部分立体分解図である。
【図２５】本発明の第６実施形態による南京錠のブロック部材とインジケータの動きを示す部分上面図である。
【図２６】本発明の第６実施形態による南京錠のブロック部材とインジケータの動きを示す部分上面図である。
【図２７】本発明の第６実施形態による南京錠のブロック部材とインジケータの動きを示す部分上面図である。
【図２８】本発明の第７実施形態による南京錠の施錠状態を示す立体斜視図である。
【図２９】本発明の第７実施形態による南京錠の動きを示す立体斜視図である。
【図３０】本発明の第７実施形態による南京錠の開錠状態を示す立体斜視図である。
【図３１】本発明の第７実施形態によるブロック部材、インジケータ、及びキーユニットの上面を示す立体分解図である。
【図３２】本発明の第７実施形態によるブロック部材、インジケータ、及びキーユニットの底面を示す立体分解図である。
【図３３】本発明の第７実施形態によるハウジングを示す立体斜視図である。
【図３４】本発明の第７実施形態による南京錠の部分断面図である。
【図３５】本発明の第７実施形態によるブロック部材の立体斜視図である。
【図３６】本発明の第７実施形態によるブロック部材が開錠鍵により動かされた状態を示す部分断面図である。
【図３７】本発明の第７実施形態によるブロック部材が開錠鍵により元の位置に戻された状態を示す部分断面図である。
【図３８】本発明の第７実施形態によるブロック部材を示す立体斜視図である。
【図３９】本発明の第７実施形態によるインジケータのリセットを示す部分断面図である。
【図４０】本発明の第８実施形態による南京錠がブロック部材を回転させることで開錠される状態を示す立体斜視図である。
【図４１】本発明の第９実施形態による南京錠がブロック部材を下げることで開錠される状態を示す立体斜視図である。
【図４２】本発明の第１０実施形態を示す平面図である。
【図４３】本発明の第１１実施形態を示す平面図である。
【図４４】本発明の第１２実施形態を示す平面図である。
【図４５】本発明の第１３実施形態を示す平面図である。
【図４６】本発明の第１４実施形態を示す立体図である。
【図４７】本発明の第１５実施形態を示す平面図である。
【図４８】本発明の第１６実施形態を示す平面図である。
【図４９】本発明の第１７実施形態を示す平面図である。
【符号の説明】
【００３６】
１、１ａ 、１ｂ、１ｃ、２e、７、８、８ａ、８ｂ    南京錠
１０、１０ｄ、８５、８５ａ、８５ｂ    ハウジング 
３        連結部材
３０１    シャフト
３１      曲線部
６ｃ、６e、８３、８３ａ、８３ｂ    インジケータ
４、４ａ、４ｂ、４ｃ 、２２e、７０、８０、８０ａ 、８０ｂ      ブロック部材  
２、２ａ、２ｂ、２ｃ、２０e、７１、８７、８７ａ、８７ｂ    シャックル
２０、８００、８００ｂ    係止部 
４０、４０ａ、４０ｂ、７０３、８１、８１ａ、８１ｂ    ボタン
４２１    突起部
４３、４３ａ、４３ｂ、７０１、８１０、８１０ｂ    凹部
８１１、８１１ａ 、８１１ｂ    ウィンドウ部
４３１、８１２    第一通路
４３２、８１４    第二通路
８１３、８１３ｂ    設定孔
８１５、８１５ａ    開孔  
８１６    第一スロット
８１７    開孔
８１８    突出部
８１９    くさび
４１、４１ａ、４１ｂ、７０２、８２、８２ｂ    駆動部 
８３１    第一状態／第一色
８３２    第二状態／第二色
８３２ａ    第二状態／マーク 
８３３、８３３ａ 、８３３ｂ    ガイド部  
８３４、８３４ａ 、８３４ｂ    シャフトボルト
８３５    テーパ面
８３６    溝部
８３７    垂直通路
８３７    棒体
８３８    開口部
８５１ｂ    傾斜部
５、７３、８４、８４ｂ    キーユニット
５０、８４０    本体
５１、５１ａ、７３１、８４１    回転部
５１１、５１１ａ 、７３２、８４２    接続部
５１０、５１０ａ、８４３    鍵穴
６、６ａ    開錠鍵
１０１、８５０    収容空間
８５１    傾斜部
８５１ａ    第二スロット 
３０、３０ａ、７２、８６、８６ａ、８６ｂ    番号ユニット
２１、２１ａ、７１１、８７０    基端
２２、２２ａ、２２ｂ、７１０、８７１、８７１ａ 、８７１ｂ    自由端
８８    上部
８９    下部
【図１】
2006022641.tif 000003
【図２】
2006022641.tif 000004
【図３】
2006022641.tif 000005
【図４】
2006022641.tif 000006
【図５】
2006022641.tif 000007
【図６】
2006022641.tif 000008
【図７】
2006022641.tif 000009
【図８】
2006022641.tif 000010
【図９】
2006022641.tif 000011
【図１０】
2006022641.tif 000012
【図１１】
2006022641.tif 000013
【図１２】
2006022641.tif 000014
【図１３】
2006022641.tif 000015
【図１４】
2006022641.tif 000016
【図１５】
2006022641.tif 000017
【図１６】
2006022641.tif 000018
【図１７】
2006022641.tif 000019
【図１８】
2006022641.tif 000020
【図１９】
2006022641.tif 000021
【図２０】
2006022641.tif 000022
【図２１】
2006022641.tif 000023
【図２２】
2006022641.tif 000024
【図２３】
2006022641.tif 000025
【図２４】
2006022641.tif 000026
【図２５】
2006022641.tif 000027
【図２６】
2006022641.tif 000028
【図２７】
2006022641.tif 000029
【図２８】
2006022641.tif 000030
【図２９】
2006022641.tif 000031
【図３０】
2006022641.tif 000032
【図３１】
2006022641.tif 000033
【図３２】
2006022641.tif 000034
【図３３】
2006022641.tif 000035
【図３４】
2006022641.tif 000036
【図３５】
2006022641.tif 000037
【図３６】
2006022641.tif 000038
【図３７】
2006022641.tif 000039
【図３８】
2006022641.tif 000040
【図３９】
2006022641.tif 000041
【図４０】
2006022641.tif 000042
【図４１】
2006022641.tif 000043
【図４２】
2006022641.tif 000044
【図４３】
2006022641.tif 000045
【図４４】
2006022641.tif 000046
【図４５】
2006022641.tif 000047
【図４６】
2006022641.tif 000048
【図４７】
2006022641.tif 000049
【図４８】
2006022641.tif 000050
【図４９】
2006022641.tif 000051
【外国語明細書】
2006022641.tif 000052
2006022641.tif 000053
2006022641.tif 000054
2006022641.tif 000055
2006022641.tif 000056
2006022641.tif 000057
2006022641.tif 000058
2006022641.tif 000059
2006022641.tif 000060
2006022641.tif 000061
2006022641.tif 000062
2006022641.tif 000063
2006022641.tif 000064
2006022641.tif 000065
2006022641.tif 000066
2006022641.tif 000067
2006022641.tif 000068
2006022641.tif 000069
2006022641.tif 000070
2006022641.tif 000071
2006022641.tif 000072
2006022641.tif 000073
2006022641.tif 000074
2006022641.tif 000075
2006022641.tif 000076
2006022641.tif 000077
2006022641.tif 000078
2006022641.tif 000079
2006022641.tif 000080
2006022641.tif 000081
2006022641.tif 000082
2006022641.tif 000083
2006022641.tif 000084
2006022641.tif 000085
2006022641.tif 000086
2006022641.tif 000087
2006022641.tif 000088
2006022641.tif 000089
2006022641.tif 000090
2006022641.tif 000091
2006022641.tif 000092
2006022641.tif 000093
2006022641.tif 000094
2006022641.tif 000095
2006022641.tif 000096
2006022641.tif 000097
2006022641.tif 000098
2006022641.tif 000099
2006022641.tif 000100
2006022641.tif 000101
2006022641.tif 000102
2006022641.tif 000103
2006022641.tif 000104
2006022641.tif 000105
2006022641.tif 000106
2006022641.tif 000107
2006022641.tif 000108
2006022641.tif 000109